(57)【要約】【課題】ベッドから安全に任意の入浴が出来るバス付きベッドを提供する。【解決手段】ベッド枠内に浴槽を設け、可動マットと人体を保持し上下稼動を備えた。【選択図】図２
2010142623.tif 000002
【特許請求の範囲】
【請求項１】
ベッド床受けフレーム内の６／１０幅にブロー付きバスを設置し、フレーム上に４：６幅の分割マットを設置、その４幅のマットを上にスライドし、６幅のマットを横スライドするとマット下の防水ナイロンシート蓋も引かれて入浴用浴槽となる装置。
【請求項２】
ベッドの一端に人体保持用の強力ナイロンネットの上下稼動に輪軸の原理を利用したギヤーと、巻き上げ下げのドラムと油圧によるギヤーブレーキ及びストッパーからなる患者用ベッド組み込みの入浴装置。
【請求項３】
通常はベッド使用、入浴は定温の給湯で、４幅のマット側に横臥させ、マット上に強力ナイロンネットシートを巻き戻して敷き込み、他端に取付る、横臥人をネットに仰向けに戻しナイロンネットを巻き上げて、請求項１の状態でギヤーを巻き下げると足から徐々に入浴となる装置。
【発明の詳細な説明】
【技術分野】
【０００１】本発明は体が不自由な人を気楽に入浴出来るバス付きベッドに関するものである。
【背景技術】
【０００２】体が不自由で寝たきりの人が入浴する事は一般家庭では、湯タオルで体を拭く程度である風呂好きな人は耐え難い。【０００３】体の不自由な人を入浴させるには数人の人手がないと出来ない危険も伴う、介護保険では月二回程度であり、自由に入浴が出来ない。【０００４】従来のベッドには入浴装置を備えたベッドはない、ベッドに横付けして使用するものはある。
【特許文献１】特開２００２−１１０６８号公報介護用入浴装置で、これは浴槽単独であり、使用については、設置や片付けとスペースの問題がある。
【特許文献２】特開２００１−２７６１６３号公報介護用バス付きベッドがある、これはバスが主体であり、ベッド使用は副であり、床は数枚の板を並べてその上に布団を敷いて使用では不安定で静養は望めない、また網状部受け部材が浴槽内でセットされているが強度上不可である、安全が保たれない。
【発明の開示】
【発明が解決しようとする課題】
【０００５】看護用ベッドは特に安全に静養出来ることが求められている、従来の移動バスでは数人の人手が必要で看護費用では一ヶ月に二回程度が限度である、また特許文献２ではベッド使用が不安定で問題点がある。【０００６】本発明は、このような従来の問題を解決しようとするもので、バス付きベッドを安全かつ単純操作で使用できる事を目的とするものである。【０００７】本発明は、通常は安眠ベッドとして使用し、１週に数回の入浴が任意で気軽に出来るもので患者の求めに応じたものである。
【発明の効果】
【０００８】本発明によれば、入浴時の機械操作が輪軸の原理を使う事で人体を静かに上下移動が出来る、又油圧ブレーキにより位置固定が出来るのは、安全性と安心感を高めることが出来る
【実施例】
【０００９】  本発明のバス付きベッドは、図１に示されるように、ベッド枠１のマット受け枠２の幅の６／１０をバススペースとし、其処に洗髪漕付きとブローモーター９Ｂ装置付きの洋風ポリバス９を設置の装置。【００１０】  ベッド柱１と中柱１の一端に、マット受け枠上よりマットの厚みの二倍の高さに、ネットスライドドラム受け１ｕにドラム３及び３ｓを設置、他端にネットパイプ受け１０ｐを設ける、ナイロンネット巻き込みドラム３を設置する、巻き込みドラムはシャフトを介して（輪軸の原理による）ギヤー３Ｇからギヤー３ｇを介しモーターに接続してナイロンネットを上下移動する装置。【００１１】  ギヤー３Ｇをペダル１ｐの踏み込みで、ディスクブレーキによる入浴体の定位置に固定の装置。【００１２】  分割４／１０幅のマットを支え棒と滑車を介してワイヤロープにて上下スライドする装置。６／１０幅のマット下部可動ナイロン防水シート９ｂ（マットが浴槽上は浴槽蓋となりスライド時はマット側面の防水シート役となる）を設け、マット受け枠両面にプラスチックスライド板８ｓを設けた、横スライド装置。【００１３】  ベッド正面中間に上下スライド可動のサイドレール手摺り６を設け、枠内にトーメイアクリル板６ａを嵌め込みストッパー付きと、背面サイドレール固定手摺り６ｃの装置。【００１４】  浴槽に吊りバンド７を設け、底部に可動車７ａを設けた荷重受け装置。【００１５】  通常はベッドとして使用、入浴するには、介護者が外部湯沸器より定温設定し、給湯バルブ１２ｂを開け所定湯量になると自動停止となり入浴準備は完了する。ベッド上の仰向けの体を向こうに横臥させる、強力ナイロンネット１０ｎの巻き戻しスイッチを入れて戻し、マット上を這わしてネット受け１０ｐに掛ける、横臥体を仰向けに戻すと、ナイロンネット上となる、巻き上げスイッチを入れるとナイロンネット上の仰向け体がマットの厚みだけ上に揚がる、マットスライド上げのスイッチ１５を入れて、スライド揚げて固定する、次ぎに分割マットのスイッチを入れて横スライドすると、マット下の浴槽蓋ナイロン防水シート２ｓの一端を浴槽に固定、他端がマット１０に固定、マットの横スライドと共に１／２の幅になりその分をマット端に引き揚げ面ファスナー２ｈで固定するとマット側面の防水シートになる。ナイロンネット上の仰向け体を巻き下げスイッチを入れると徐々に足から湯の中に入る、定位置でブレーキペダルを踏んで固定することで安心感が増し心地よい入浴となる。介護者が体を洗い終われば浴槽上まで巻き上げて、シャワー１２ａで洗い流しバスタオルで拭きドライヤーで乾かし入浴が完了する。
ナイロンネットシート１０ｎを巻き揚げ、マット１０を電動横スライドして定位置に戻し、揚げマットスイッチを入れ下げて定位置にマットを戻す、ナイロンネットシート１０ｎを電動操作でマット上に下ろし、向こう側に横臥させてナイロンネットを巻き込み収納する、仰向けに戻して毛布と布団を掛け完了する。
【産業上の利用可能性】
【００１６】  上述の発明は、通常はベッドとして使用するが、任意に入浴が楽しめる事は体の不自由な人には朗報で、高齢者社会で看護人の人手が減少の今日利用可能性は大である。
【図面の簡単な説明】
【００１７】
【図１】  本発明のベッドとして使用の斜視図である。
【図２】  本発明のブロー付きバス使用の斜視図である。
【図３】  ベッド時の正面図である
【図４】  平面図である。
【図５】  カバーを取り外した側面である。
【図６】  スライド装置詳細図である。
【図７】  マット枠平面図である。
【図８】  ベッド背面図である。
【図９】  ベッド使用時と巻き上げ時及びバス使用時の写真である。
【符号の説明】
【００１８】１…ベッド柱
１ｋ…ドラムカバー              １ｐ…ストッパー付きブレーキペダル
１ｕ…巻き込みドラム受け
２…マット受け枠  ２ｓ…ナイロン防水シート  ２ｈ…防水シート固定平面ファスナー
３…ナイロンネット巻き込みドラム
３ｓ…ナイロンネットスライドドラム
３Ｇ…大ギヤー                ３ｇ…小ギヤー
４…電動モーター              ４ｐ…ギヤー受けプレート
５…柱足固めパイプ
６…ストッパー付き上下スライド可動サイドレール手摺り
６ａ…トーメイアクリル板
６ｃ…固定サイドレール
６ｐ…スライド手摺り保持パイプ
７…浴槽受けバンド          ７ａ…浴槽受け補助車
７ｐ…パンチングメタル
８…マット枠角パイプ
８ａ…スライド棒１１ｐ保持プレート
８ｓ…プラスチックスライド板
９…洋風ポリバス
９ａ…洗髪槽        ９ｂ…ブローモーター穴        ９ｓ…シャワーヘッド格納穴
１０…分割可動マット
１０ｎ…強力ナイロンネット    １０ｐ…ナイロンネット受け金具
１１…滑車                  １１ｙ…ワイヤーロープ
１２…給湯管  １２ａ…シャワーヘッド  １２ｂ…給湯バルブ  １２ｓ…シャワーホース
１３…油圧ブレーキ        １３ｐ…給油管        １３ｕ…オイルタンク
１４…ストッパー付き自在車  １４ｃ…車
１５…各稼動モーター操作３路スイッチ
【図１】
2010142623.tif 000003
【図２】
2010142623.tif 000004
【図３】
2010142623.tif 000005
【図４】
2010142623.tif 000006
【図５】
2010142623.tif 000007
【図６】
2010142623.tif 000008
【図７】
2010142623.tif 000009
【図８】
2010142623.tif 000010
【図９】
2010142623.tif 000011